(57)【要約】      （修正有）【課題】洋式便器で男性が小用の際、小水が飛散し床や便座を汚しトイレ臭の原因となり、トイレの掃除、マットやカバーの交換・洗濯が必要とされることを軽減できる洋式便器の汚れを防止するアタッチメントを提供する。【解決手段】便座と便器のヘリの左右両方に、一方は固定し閉じられていて、もう一方は開閉可能に構成された扇形ジャバラを貼付する。アタッチメントは常時貼付したまま使用できるので、飛散した小水は柵に当たり便器内に落ち、臭いがつかず取り扱いが簡単で安価、かつ洗浄により再使用できるものがよく、防水加工した紙やプラスチックを材料として作成する扇形のジャバラである。【選択図】図１
0003143227.tif 000002
【実用新案登録請求の範囲】
【請求項１】
洋式便器の左右側面を覆う扇形ジャバラにより汚れを防止するアタッチメント。
材料としては、紙又はプラスチック等を使用する。
【請求項２】
左右両方、もしくは片方に自由に取り付け可能で、また身長等によりジャバラの大小を使い分ける事が可能な尿飛散ガード。
【考案の詳細な説明】
【技術分野】  本考案は、男性が立ったまま洋式便器で小用を足す際、小便が便器外に飛散しがちであるので、これを防止するため便器に貼付して用いるアタッチメントである。
【背景技術】  便座と便器のへりなるべく向こう側から左右両方にこのアタッチメントを貼付する。
洋式便器を男性が小用に供える場合、便座を上げて向こう側に立て掛け使用するが、便座を上げると小便の飛散を防止する防護柵が出現し、使用後便座を下げれば柵は自動的に収納される。
小水の飛散防止が何ら別の動作を伴わないで実現する。
【考案の開示】
この出現・収納自在の柵は耐水性を備え、反復使用に耐え、男子小用以外の使用に違和感を生じないよう、薄く収納できるものでなければならない。
【考案が解決しようとする課題】
洋式便器で男性が小用を足す際小水が飛散し、床や便座そのものを汚し、トイレ臭の原因の一つとなる為、頻繁なトイレの掃除、マットやカバーの交換、洗濯が必要とされている。
本考案はこれを軽減しようとするものである。
【課題を解決するための手段】
飛散しようとする小便は柵に当たり、便器内に落ちる。
このアタッチメントは常時貼付したまま使用するので、臭いがつかず、取り扱いが簡単で安価、できれば洗浄により再使用できるものがよい。以上の事から防水加工した紙やプラスチックを材料として作成する扇形のジャバラに至った。
この材料を使用することにより、同時に軽量化が実現されたので、着脱に容易となり、両面テープ程度の粘着力で貼付ができるようになった。
【考案の効果】
本考案の扇形のジャバラは、実際に小水の便器外への飛散防止に顕著な効果があり、トイレの掃除を軽減する。このアタッチメントは、もう一方では道路のガードレールの如き役割を果たし、小用を足す者に安心感を与え、正確な放尿の位置、姿勢に導く効果があり、片側のみに柵を使用するだけでも小水のコントロールが改善される等、大きな心理的効果が期待できる。
【考案を実施するための最良の形態】  便器は縦長の楕円形、中央の幅が一番広い。柵は便器の半分以上の長さがあり、その形は直線的で使用者から見てハの字形に見える方が、心理的効果が大きく、コストも低廉である。また、ジャバラは透明ではなく着色した方が、上記の心理的効果が大きくなると見込まれる。
【図１】
0003143227.tif 000003
【図２】
0003143227.tif 000004
【手続補正書】
【提出日】平成20年2月27日(2008.2.27)
【手続補正１】
【補正対象書類名】実用新案登録請求の範囲
【補正対象項目名】全文
【補正方法】変更
【補正の内容】
【実用新案登録請求の範囲】
【請求項１】
洋式便器の左右側面を覆う扇形ジャバラにより汚れを防止するアタッチメントであって、一片は固定し閉じられていて、もう一片は開閉可能に構成された扇形ジャバラで、ジャバラの両側面に便器本体のヘリと便器裏に固定する固定手段をそなえたアタッチメント。
【手続補正２】
【補正対象書類名】明細書
【補正対象項目名】全文
【補正方法】変更
【補正の内容】
【考案の詳細な説明】
【技術分野】
【０００１】  本考案は、男性が立ったまま洋式便器で小用を足す際、小便が便器外に飛散しがちであるので、これを防止するため便器に貼付して用いるアタッチメントである。
【背景技術】
【０００２】  便座と便器のへりなるべく向こう側から左右両方にこのアタッチメントを貼付する。
洋式便器を男性が小用に供える場合、便座を上げて向こう側に立て掛け使用するが、便座を上げると小便の飛散を防止する防護柵が出現し、使用後便座を下げれば柵は自動的に収納される。
小水の飛散防止が何ら別の動作を伴わないで実現する。
【考案の開示】
【０００３】  この出現・収納自在の柵は耐水性を備え、反復使用に耐え、男子小用以外の使用に違和感を生じないよう、薄く収納できるものでなければならない。
【考案が解決しようとする課題】
【０００４】  洋式便器で男性が小用を足す際小水が飛散し、床や便座そのものを汚し、トイレ臭の原因の一つとなる為、頻繁なトイレの掃除、マットやカバーの交換、洗濯が必要とされている。
本考案はこれを軽減しようとするものである。
【課題を解決するための手段】
【０００５】  飛散しようとする小便は柵に当たり、便器内に落ちる。
このアタッチメントは常時貼付したまま使用できるので、臭いがつかず、取り扱いが簡単で安価、できれば洗浄により再使用できるものがよい。以上の事から防水加工した紙やプラスチックを材料として作成する扇形のジャバラに至った。
この材料を使用することにより、同時に軽量化が実現されたので、着脱に容易となり、両面テープ程度の粘着力で貼付ができるようになった。
【考案を実施するための最良の形態】
【考案の効果】
【０００６】  本考案の扇形のジャバラは、実際に小水の便器外への飛散防止に顕著な効果があり、トイレの掃除を軽減するが更にこのアタッチメントは、もう一方では道路のガードレールの如き役割を果たし、小用を足す者に安心感を与え、正確な放尿の位置、姿勢に導く効果があり、片側のみに柵を使用するだけでも小水のコントロールが改善される等、大きな心理的効果が期待でき飛散防止に結びつく。
【考案を実施するための最良の形態】
【０００７】  便器は縦長の楕円形、中央の幅が一番広い。柵は便器の半分以上の長さがあり、その形は直線的で使用者から見てハの字形に見える方が、心理的効果が大きく、コストも低廉である。また、ジャバラは透明ではなく着色した方が、上記の心理的効果が大きくなると見込まれる。
【図面の簡単な説明】
【０００８】
【図１】▲１▼は本来の洋式便器の俯瞰図。▲２▼は便器の片方にジャバラを取り付けた俯瞰図で、便器本体のヘリと便座の裏側に接着剤でジャバラを取り付けた図。▲３▼は両側にジャバラを取り付けた俯瞰図で、ジャバラを便器本体のヘリと便座の裏側に接着剤で左右両側に取り付けた状態のもの。▲４▼は便器本体のヘリと便座裏側に接着剤で先端をカットされたジャバラをとりつけた側面図。
【図２】（Ａ）はジャバラの作り方。材料は防水加工した紙やプラスチックで、ジャバラ織りの出来る小水の勢いに負けない程度の強度を有するもので、ジャバラと便器・便座を接着するものが必要となる。ジャバラを作る紙の大きさは、縦長の楕円形の便器の半分以上の長さが必要であるため、縦３５ｃｍ、横７２ｃｍの大きさのものを４ｃｍの幅で折り、折り返しながら１８個のジャバラを作る。（Ｂ）便器に取り付けたときに（Ａ）のジャバラでは長方形のため、楕円形の便器には角が出るために、便器に沿うよう先端をカットする。便器と便座の奥に入る部分は、扇形を保つよう基をしっかり固定する。
【手続補正３】
【補正対象書類名】図面
【補正対象項目名】全図
【補正方法】変更
【補正の内容】
【図１】
0003143227.tif 000005
【図２】
0003143227.tif 000006